(57)【要約】【課題】  携帯式情報装置に運用される表示拡充装置の提供。【解決手段】  情報装置の内部或いは外部に設置されたコネクタにより、該情報装置の表示モジュールに内部或いは外部から表示機能を拡充させることができ、低解析度の表示処理モジュールを具えた情報装置を、該コネクタにより高解析度の表示処理モジュールに接続し、並びに切り換えモジュールを通して該情報装置に二つの表示処理モジュールの切り換え使用の機能を具備させ、情報装置表示機能の拡充目的を達成する。【選択図】        図２
0003107448.tif 000002
【実用新案登録請求の範囲】
【請求項１】
携帯式情報装置に運用される表示拡充装置において、
第１表示処理装置と、
該第１表示処理装置と電気的に接続された切り換えモジュールと、
該切り換えモジュールに接続されたコネクタと、
該コネクタと電気的に接続された第２表示処理装置と、
を具え、該切り換えモジュールが第１表示処理装置と第２表示処理装置の信号出力の切り換えのために設けられたことを特徴とする、携帯式情報装置に運用される表示拡充装置。
【請求項２】
請求項１記載の携帯式情報装置に運用される表示拡充装置において、第１表示処理装置がサウスブリッジチップ或いはノースブリッジチップと電気的に接続されたことを特徴とする、携帯式情報装置に運用される表示拡充装置。
【請求項３】
請求項１記載の携帯式情報装置に運用される表示拡充装置において、第２表示処理装置がサウスブリッジチップ或いはノースブリッジチップと電気的に接続されたことを特徴とする、携帯式情報装置に運用される表示拡充装置。
【請求項４】
請求項１記載の携帯式情報装置に運用される表示拡充装置において、第１表示処理装置がノースブリッジチップに内蔵されたことを特徴とする、携帯式情報装置に運用される表示拡充装置。
【請求項５】
請求項１記載の携帯式情報装置に運用される表示拡充装置において、第１表示処理装置がアクセラレートグラフィックポート（Ａｃｃｅｌｅｒａｔｅｄ  Ｇｒａｐｈｉｃ  Ｐｏｒｔ）を具えたことを特徴とする、携帯式情報装置に運用される表示拡充装置。
【請求項６】
請求項１記載の携帯式情報装置に運用される表示拡充装置において、第２表示処理装置が周辺コンポーネントインターコネクト（Ｐｅｒｉｐｈｅｒａｌ  Ｃｏｍｐｏｎｅｎｔ
Ｉｎｔｅｒｃｏｎｎｅｃｔ）を具えたことを特徴とする、携帯式情報装置に運用される表示拡充装置。
【請求項７】
請求項１記載の携帯式情報装置に運用される表示拡充装置において、第１表示処理装置がマザーボード上のディスプレイチップ或いはディスプレイカードに内蔵されたことを特徴とする、携帯式情報装置に運用される表示拡充装置。
【請求項８】
請求項１記載の携帯式情報装置に運用される表示拡充装置において、コネクタがマザーボードに内蔵されたことを特徴とする、携帯式情報装置に運用される表示拡充装置。
【請求項９】
請求項８記載の携帯式情報装置に運用される表示拡充装置において、コネクタが第２表示処理装置の接続に用いられることを特徴とする、携帯式情報装置に運用される表示拡充装置。
【請求項１０】
請求項１記載の携帯式情報装置に運用される表示拡充装置において、コネクタが情報装置に外接されたことを特徴とする、携帯式情報装置に運用される表示拡充装置。
【請求項１１】
請求項１０記載の携帯式情報装置に運用される表示拡充装置において、コネクタが第１表示処理装置と第２表示処理装置を接続することを特徴とする、携帯式情報装置に運用される表示拡充装置。
【請求項１２】
請求項１０記載の携帯式情報装置に運用される表示拡充装置において、コネクタが第２表示処理装置に接続され、且つ第１表示処理装置が内蔵されたディスプレイカード或いはディスプレイチップとされたことを特徴とする、携帯式情報装置に運用される表示拡充装置。
【請求項１３】
請求項１記載の携帯式情報装置に運用される表示拡充装置において、コネクタがマザーボード上に内蔵され並びにフレキシブルバスを介してコンピュータ表面に設置されたことを特徴とする、携帯式情報装置に運用される表示拡充装置。
【請求項１４】
携帯式情報装置に運用される表示拡充装置において、
ＣＰＵと、
該ＣＰＵと電気的に接続されたチップセットと、
該チップセットと電気的に接続されたコネクタと、
該コネクタと電気的に接続された周辺装置と、
を具えたことを特徴とする、携帯式情報装置に運用される表示拡充装置。
【請求項１５】
請求項１４記載の携帯式情報装置に運用される表示拡充装置において、チップセットがノースブリッジチップとサウスブリッジチップを具えたことを特徴とする、携帯式情報装置に運用される表示拡充装置。
【請求項１６】
請求項１４記載の携帯式情報装置に運用される表示拡充装置において、コネクタが情報装置に外接されたことを特徴とする、携帯式情報装置に運用される表示拡充装置。
【請求項１７】
請求項１６記載の携帯式情報装置に運用される表示拡充装置において、コネクタが周辺装置に接続され、該周辺装置が表示処理装置とデスクトップ型コンピュータが使用するインタフェースカードを具えたことを特徴とする、携帯式情報装置に運用される表示拡充装置。
【請求項１８】
請求項１７記載の携帯式情報装置に運用される表示拡充装置において、デスクトップ型コンピュータが使用するインタフェースカードがＳＣＳＩカード、ＤＶＤハードウエアキャプチャカード、テレビ録画再生カード或いはＴＶチューナーのいずれかとされたことを特徴とする、携帯式情報装置に運用される表示拡充装置。
【請求項１９】
請求項１７記載の携帯式情報装置に運用される表示拡充装置において、表示処理装置が切り換えモジュールを具えたことを特徴とする、携帯式情報装置に運用される表示拡充装置。
【考案の詳細な説明】
【技術分野】
【０００１】
本考案は一種の携帯式情報装置に運用される表示拡充装置に係り、特に、携帯式情報装置（Ｐｏｒｔａｂｌｅ  Ｉｎｆｏｒｍａｔｉｏｎ  Ｄｅｖｉｃｅ）の表示処理装置の拡充装置に係り、それは該情報装置の内部にコネクタが設けられて高解析度の表示処理装置と接続されることで、情報装置の表示機能の拡充目的を達成する、表示拡充装置に関する。
【背景技術】
【０００２】
忙しい２１世紀にあって、携帯に便利な携帯式情報装置は仕事をする者にとって相当に重要なワーキングパートナーである。例えば、ノートブック型コンピュータは、出張する者が長時間交通工具に搭乗する間も、仕事の処理、例えば、電子メールの送受信や、報告書作成や一般データ処理を行なうことができ、時間を浪費せず、また、長時間の旅行中に音楽や映画を楽しむこともでき、長い旅程の疲労を癒す。このほか、外部の会議で報告や会社製品の販売促進を行なう会社員は、携帯式情報装置で会議記録や報告或いは製品紹介を行なうことができ、これにより重い会議資料、報告データ或いは製品カタログ等を持ち運ぶ必要がなくなり、大幅に仕事の便利性と効率が増す。
【０００３】
コンピュータソフトウエアは民衆の要求に応じて、その機能はますます強大となっており、特に画像処理機能が最たるものであり、このため情報装置に取り付けられる情報処理装置、例えばディスプレイカード、或いはディスプレイチップセットは高性能でなければ高い表示機能のコンピュータソフトウエア、例えば３Ｄソフト、３Ｄ画像処理ソフト及びゲームソフト等と相容しない。しかし一方で、高性能の表示処理装置を使用すると、高い電力量を消耗し、情報装置が低機能の表示ソフトを実行するのに高性能の表示処理装置を使用すると、長時間電池による電力供給の下、情報装置の使用時間が短縮されてしまう。しかし、現在の情報装置は内部に一つしか表示処理装置が設置されていないため、使用者の不便を形成した。
【０００４】
このほか、携帯式情報装置に運用される表示拡充装置は一般に外接式の周辺保存装置、例えばＣＤドライブ、フレキシブルディスクドライブ、及びハードディスクに限られ、これらはいずれも異なるインタフェースでポータブルコンピュータに接続されるか、或いは拡充ポート（Ｐｏｒｔ  Ｒｅｐｌｉｃａｔｏｒ）により周辺装置の外接拡充の目的を達成している。しかし、現在の携帯式情報装置（例えばノートブック型コンピュータ）の周辺装置拡充ベース或いは拡充ポートは表示処理装置拡充のインタフェースを具備せず、使用者は必要な表示性能に応じて表示処理装置を適宜選択して携帯式情報装置の機能性を高めて電池電力の節約を達成することができない。
【考案の開示】
【考案が解決しようとする課題】
【０００５】
このため本考案は周知の携帯式情報装置が僅かに単一の表示処理装置しか具備しない問題を鑑み、携帯式情報装置に運用される表示拡充装置を提供するものである。この情報装置は第２表示処理装置の取り付けに供されるコネクタを具え、並びに切り換えモジュールにより使用者が情報装置の実行環境により、表示処理装置を適宜切り換えることができるようにして上述の問題を解決する。
【０００６】
本考案の主要な目的は、一種の携帯式情報装置に運用される表示拡充装置を提供することにあり、それは、コネクタを具え、該コネクタは情報装置のチップと電気的に接続され、且つ該コネクタは、ＰＣＩ、ＡＧＰ或いはＩＳＡ規格のインタフェースを具え、該コネクタが携帯式情報装置に内蔵或いは外接される時、該携帯式情報装置の表示機能を、同一コネクタにより拡充／グレードアップできるようにする目的を達成する。
【０００７】
本考案のもう一つの目的は、一種の携帯式情報装置に運用される表示拡充装置を提供することにあり、それは、切り換えモジュールを更に具え、該コネクタが第２表示処理装置に接続される時、該切り換えモジュールを通して必要な表示性能に応じて選択切り換えができ、例えば、情報装置内に第１の表示処理装置が内蔵されている時、使用者は該コネクタを第２表示処理装置に接続し、並びに該切り換えモジュールを通して使用したい表示処理装置を選択することができる。
【課題を解決するための手段】
【０００８】
請求項１の考案は、携帯式情報装置に運用される表示拡充装置において、
第１表示処理装置と、
該第１表示処理装置と電気的に接続された切り換えモジュールと、
該切り換えモジュールに接続されたコネクタと、
該コネクタと電気的に接続された第２表示処理装置と、
を具え、該切り換えモジュールが第１表示処理装置と第２表示処理装置の信号出力の切り換えのために設けられたことを特徴とする、携帯式情報装置に運用される表示拡充装置としている。
請求項２の考案は、請求項１記載の携帯式情報装置に運用される表示拡充装置において、第１表示処理装置がサウスブリッジチップ或いはノースブリッジチップと電気的に接続されたことを特徴とする、携帯式情報装置に運用される表示拡充装置としている。
請求項３の考案は、請求項１記載の携帯式情報装置に運用される表示拡充装置において、第２表示処理装置がサウスブリッジチップ或いはノースブリッジチップと電気的に接続されたことを特徴とする、携帯式情報装置に運用される表示拡充装置としている。
請求項４の考案は、請求項１記載の携帯式情報装置に運用される表示拡充装置において、第１表示処理装置がノースブリッジチップに内蔵されたことを特徴とする、携帯式情報装置に運用される表示拡充装置としている。
請求項５の考案は、請求項１記載の携帯式情報装置に運用される表示拡充装置において、第１表示処理装置がアクセラレートグラフィックポート（Ａｃｃｅｌｅｒａｔｅｄ  Ｇｒａｐｈｉｃ  Ｐｏｒｔ）を具えたことを特徴とする、携帯式情報装置に運用される表示拡充装置としている。
請求項６の考案は、請求項１記載の携帯式情報装置に運用される表示拡充装置において、第２表示処理装置が周辺コンポーネントインターコネクト（Ｐｅｒｉｐｈｅｒａｌ  Ｃｏｍｐｏｎｅｎｔ  Ｉｎｔｅｒｃｏｎｎｅｃｔ）を具えたことを特徴とする、携帯式情報装置に運用される表示拡充装置としている。
請求項７の考案は、請求項１記載の携帯式情報装置に運用される表示拡充装置において、第１表示処理装置がマザーボード上のディスプレイチップ或いはディスプレイカードに内蔵されたことを特徴とする、携帯式情報装置に運用される表示拡充装置としている。
請求項８の考案は、請求項１記載の携帯式情報装置に運用される表示拡充装置において、コネクタがマザーボードに内蔵されたことを特徴とする、携帯式情報装置に運用される表示拡充装置としている。
請求項９の考案は、請求項８記載の携帯式情報装置に運用される表示拡充装置において、コネクタが第２表示処理装置の接続に用いられることを特徴とする、携帯式情報装置に運用される表示拡充装置としている。
請求項１０の考案は、請求項１記載の携帯式情報装置に運用される表示拡充装置において、コネクタが情報装置に外接されたことを特徴とする、携帯式情報装置に運用される表示拡充装置としている。
請求項１１の考案は、請求項１０記載の携帯式情報装置に運用される表示拡充装置において、コネクタが第１表示処理装置と第２表示処理装置を接続することを特徴とする、携帯式情報装置に運用される表示拡充装置としている。
請求項１２の考案は、請求項１０記載の携帯式情報装置に運用される表示拡充装置において、コネクタが第２表示処理装置に接続され、且つ第１表示処理装置が内蔵されたディスプレイカード或いはディスプレイチップとされたことを特徴とする、携帯式情報装置に運用される表示拡充装置としている。
請求項１３の考案は、請求項１記載の携帯式情報装置に運用される表示拡充装置において、コネクタがマザーボード上に内蔵され並びにフレキシブルバスを介してコンピュータ表面に設置されたことを特徴とする、携帯式情報装置に運用される表示拡充装置としている。
請求項１４の考案は、携帯式情報装置に運用される表示拡充装置において、
ＣＰＵと、
該ＣＰＵと電気的に接続されたチップセットと、
該チップセットと電気的に接続されたコネクタと、
該コネクタと電気的に接続された周辺装置と、
を具えたことを特徴とする、携帯式情報装置に運用される表示拡充装置としている。
請求項１５の考案は、請求項１４記載の携帯式情報装置に運用される表示拡充装置において、チップセットがノースブリッジチップとサウスブリッジチップを具えたことを特徴とする、携帯式情報装置に運用される表示拡充装置としている。
請求項１６の考案は、請求項１４記載の携帯式情報装置に運用される表示拡充装置において、コネクタが情報装置に外接されたことを特徴とする、携帯式情報装置に運用される表示拡充装置としている。
請求項１７の考案は、請求項１６記載の携帯式情報装置に運用される表示拡充装置において、コネクタが周辺装置に接続され、該周辺装置が表示処理装置とデスクトップ型コンピュータが使用するインタフェースカードを具えたことを特徴とする、携帯式情報装置に運用される表示拡充装置としている。
請求項１８の考案は、請求項１７記載の携帯式情報装置に運用される表示拡充装置において、デスクトップ型コンピュータが使用するインタフェースカードがＳＣＳＩカード、ＤＶＤハードウエアキャプチャカード、テレビ録画再生カード或いはＴＶチューナーのいずれかとされたことを特徴とする、携帯式情報装置に運用される表示拡充装置としている。
請求項１９の考案は、請求項１７記載の携帯式情報装置に運用される表示拡充装置において、表示処理装置が切り換えモジュールを具えたことを特徴とする、携帯式情報装置に運用される表示拡充装置としている。
【考案の効果】
【０００９】
本考案は携帯式情報装置に運用される表示拡充装置を提供し、それはコネクタコネクタを利用してポータブルコンピュータの表示性能を拡充でき、周知の技術の低解析度のポータブルコンピュータを切り換えモジュールを介して更にコネクタを通して高解析度のディスプレイカードに接続させることができ、これによりポータブルコンピュータに拡充性を具備させることができる。一般にポータブルコンピュータは電池電力量の因子により解析度が比較的低い表示処理装置を採用しており、比較的高解析度の表示処理装置を使用する必要がある場合に交換することができず、このためポータブルコンピュータの実用性はデスクトップ型コンピュータより遥かに低くなる。本考案は切り換えモジュールとコネクタを提供し、ポータブルコンピュータを、切り換えモジュールとコネクタを通すことで、自由に解析度の異なる表示処理装置を選択して接続可能としている。
【００１０】
本考案は新規性、進歩性及び産業上の利用価値を有し、実用新案登録の要件を具えている。
【考案を実施するための最良の形態】
【００１１】
図１、２は本考案の携帯式情報装置に運用される表示拡充装置の第１実施例の実施表示図及び実施ブロック図である。図１に示されるように、一般に携帯式情報装置１中には第１表示処理装置１０（ｉｎｔｅｇｒａｔｅ  ＶＧＡ）が内蔵或いは設置され、該表示処理装置１０の表示性能（解析度）は比較的低レベルである。図２に示されるように、本考案の好ましい実施例によると、ノートブック型コンピュータにコネクタが内蔵或いは設置され、並びに該コネクタ４０が比較的高い表示性能を具えた第２表示処理装置２０に接続され、拡充性を具えた構造を提供し、携帯式情報装置１に拡充表示処理装置の機能を得させている。本考案の主要な構造は、第１表示処理装置１０（Ｄｉｓｐｌａｙ  Ｃａｒｄ）、該第１表示処理装置１０に電気的に接続された切り換えモジュール３０、該切り換えモジュール３０に接続されたコネクタ４０、及び該コネクタ４０に電気的に接続された第２表示処理装置２０を具えている。そのうち、該切り換えモジュール３０は第１表示処理装置１０或いは第２表示処理装置２０の表示処理信号を切り換えて出力する。
【００１２】
また、該切り換えモジュール３０は表示装置５０と電気的に接続されてその切り換えた表示信号を出力し、該コネクタ４０はマザーボード上に設置可能で、第１表示処理装置１０は内蔵のディスプレイカード或いはディスプレイチップとされ、該第２表示処理装置２０は該コネクタ４０に接続され、使用者が該切り換えモジュール３０を通して該コネクタ４０と接続して異なる表示機能の表示処理装置を自由に選択し拡充することができる。
【００１３】
図３は本考案の携帯式情報装置に運用される表示拡充装置の第２実施例の実施ブロック図である。図３に示されるように、該拡充装置はＣＰＵ６０、チップセット７０、コネクタ４０及び表示処理装置２２を具えている。該ＣＰＵ６０は該チップセット７０に接続され、該チップセット７０はノースブリッジチップ７２とサウスブリッジチップ７４を具え、該チップセット７０は該コネクタ４０を通して該表示処理装置２２に接続されている。そのうち、該コネクタ４０はまたデスクトップ型コンピュータのインタフェースカード２４、例えばＳＣＳＩカード、ＤＶＤハードウエアキャプチャカード、テレビ録画再生カード或いはＴＶチューナー等に接続可能である。このとき、コネクタ４０は該情報装置に外接される。
【００１４】
このほか、該表示処理装置２２はアクセラレートグラフィックポート（Ａｃｃｅｌｅｒａｔｅｄ  Ｇｒａｐｈｉｃ  Ｐｏｒｔ）或いは周辺コンポーネントインターコネクト（Ｐｅｒｉｐｈｅｒａｌ  Ｃｏｍｐｏｎｅｎｔ  Ｉｎｔｅｒｃｏｎｎｅｃｔ）を具えうる。本考案の好ましい実施例では、該コネクタ４０はＰＣＩ、ＡＧＰ或いはＩＳＡ等の規格のインタフェースを具え、該情報装置を同じ規格のインタフェースを具えた表示処理装置に接続可能とし、また直接該ノースブリッジチップ７２内に内蔵可能である。該コネクタ４０を通して該携帯式情報装置はデスクトップ型コンピュータのＰＣＩスロットを具えたディスプレイカード或いはコネクタ４０と符合する電気規格のインタフェーススロットを具えた表示処理装置に接続される。
【００１５】
図４は本考案の携帯式情報装置に運用される表示拡充装置の第３実施例の実施表示図である。図４に示されるように、該コネクタはまた携帯式情報装置１（例えばポータブルコンピュータ）の表面（例えば底部）に延伸設置可能であり、並びに周知の技術の拡充ベース構造を利用し、該ポータブルコンピュータと接続され、携帯式情報装置１（ポータブルコンピュータ）はコネクタ４０を通して拡充ベース２の接続スロット４２と電気的に接続される。該拡充ベース２は第２表示処理装置或いはデスクトップ型コンピュータのインタフェースカード、例えばＳＣＳＩカード、ＤＶＤハードウエアキャプチャカード、テレビ録画再生カード或いはＴＶチューナーを具えている。
【００１６】
図５は本考案の携帯式情報装置に運用される表示拡充装置の第３実施例の実施ブロック図である。図５に示されるように、該拡充装置は、ＣＰＵ６０、チップセット７０、第１表示処理装置１０、切り換えモジュール３０、第１コネクタ４４、第２コネクタ４４’、第２表示処理装置２０を具えている。そのうち、該ＣＰＵ６０はチップセット７０と接続され、該第１表示処理装置１０は内蔵されたディスプレイカード或いはディスプレイチップとされ、該切り換えモジュール３０を通して第１コネクタ４４に接続され、第１コネクタ４４は該チップセット７０、該切り換えモジュール３０、及び第２コネクタ４４’と接続され、該第２コネクタ４４’は第２表示処理装置２０と接続されている。
【００１７】
そのうち、第１コネクタ４４はマザーボードに内蔵され、且つ該第２コネクタ４４’は該第１コネクタ４４がフレキシブルバスで該情報装置の表面（例えば底部或いは拡充表面）に延伸されて設けられ、使用者は拡充環境要求により、該第２表示処理装置２０をコンピュータ内部の第１コネクタ４４に接続するか、或いは直接第２表示処理装置２０を選択してコンピュータ外部の第２コネクタ４４’に拡充接続することができる。
【００１８】
図６は本考案の携帯式情報装置に運用される表示拡充装置の第３実施例の別の実施ブロック図である。図３及び図５も共に参照されたい。図６に示されるように、コネクタ（コネクタ４０、第１コネクタ４４、第２コネクタ４４’）が僅かにデスクトップ型コンピュータのインタフェースカード（例えばＳＣＳＩカード、ＤＶＤハードウエアキャプチャカード、テレビ録画再生カード或いはＴＶチューナー）に接続される時は、該切り換えモジュール３０は不要である。
【００１９】
以上の実施例は本考案の範囲を限定するものではなく、本考案に基づきなし得る細部の修飾或いは改変は、いずれも本考案の請求範囲に属するものとする。
【図面の簡単な説明】
【００２０】
【図１】本考案の携帯式情報装置に運用される表示拡充装置の第１実施例の実施表示図である。
【図２】本考案の携帯式情報装置に運用される表示拡充装置の第１実施例の実施ブロック図である。
【図３】本考案の携帯式情報装置に運用される表示拡充装置の第２実施例の実施ブロック図である。
【図４】本考案の携帯式情報装置に運用される表示拡充装置の第３実施例の実施表示図である。
【図５】本考案の携帯式情報装置に運用される表示拡充装置の第３実施例の実施ブロック図である。
【図６】本考案の携帯式情報装置に運用される表示拡充装置の第３実施例の別の実施ブロック図である。
【符号の説明】
【００２１】
１  携帯式情報装置
２  拡充ベース
１０  第１表示処理装置
２０  第２表示処理装置
２２  表示処理装置
２４  インタフェースカード
３０  切り換えモジュール
４０  コネクタ
４２  接続スロット
４４  第１コネクタ
４４’  第２コネクタ
５０  表示装置
６０  ＣＰＵ
７０  チップセット
７２  ノースブリッジチップ
７４  サウスブリッジチップ
【図１】
0003107448.tif 000003
【図２】
0003107448.tif 000004
【図３】
0003107448.tif 000005
【図４】
0003107448.tif 000006
【図５】
0003107448.tif 000007
【図６】
0003107448.tif 000008